(57)【要約】【課題】ケーシング上側部分とケーシング下側部分とから形成されたコネクタ接続器ケーシング半部を有していて、ケーシング上側部分を取り囲んでいて、かつ軸方向に摺動可能なロック解除リングを有している形式のロック装置を改良して、両方のケーシングの係止部の他に、さらに付加的なロック部を設けることである。【解決手段】ロック解除リング１０が、３面側で露出していて、かつ内側へ移動可能な少なくとも１つの操作舌片を有していて、該操作舌片に、内側に向けられた折り曲げ部を有する解放つめが一体成形されており、折り曲げ部を備えた外側に向いているロックつめ２５が、ケーシング上側部分２０に一体成形されており、コネクタ接続器がロックされた状態において折り曲げ部が、ケーシング上側部分２０から外側に向いているロックつめ２５の折り曲げ部に当接して配置されている。【選択図】図１
2006339162.tif 000002
【特許請求の範囲】
【請求項１】
ケーシング上側部分（２０）とケーシング下側部分（３０）とから形成されたコネクタ接続器ケーシング半部のためのロック装置であって、ケーシング上側部分（２０）を取り囲んでいて、軸方向に摺動可能なロック解除リング（１０）を有している形式のものにおいて、
ロック解除リング（１０）が、３面側で露出していて、かつ内側へ移動可能な少なくとも１つの操作舌片（１４）を有していて、該操作舌片（１４）に、内側に向けられた折り曲げ部（１６）を有する解放つめ（１５）が一体成形されており、
折り曲げ部（２６）を備えた、外側に向いているロックつめ（２５）が、ケーシング上側部分（２０）に一体成形されており、
コネクタ接続器がロックされた状態において、解放つめ（１５）の折り曲げ部（１６）が、ケーシング上側部分（２０）から外側に向いているロックつめ（２５）の折り曲げ部（２６）に当接するように配置されていることを特徴とする、コネクタ接続器のためのロック装置。
【請求項２】
ロック解除リング（１０）が、２つの同一の半割シェル（１１）から形成されていて、これらの半割シェル（１１）が、係止エレメント（１２）によって接合されている、請求項１記載のロック装置。
【請求項３】
ケーシング上側部分（２０）に少なくとも１つの係止薄板（４０）が配置されている、請求項１記載のロック装置。
【請求項４】
ケーシング上側部分（２０）が、係止薄板（４０）により、ケーシング下側部分（３０）に設けられている係止ノーズ（３２）に係止可能になっている、請求項１または３記載のロック装置。
【請求項５】
係止薄板（４０）に傾斜部（４３）が設けられていて、該傾斜部（４３）はロック解除リング（１０）に設けられている傾斜部（１８）によって負荷可能になっている、請求項１から４までのいずれか１項記載のロック装置。
【請求項６】
ロック解除リング（１０）が、閉じたフレームから成っている、請求項１から５のいずれか１項記載のロック装置。
【請求項７】
係止薄板（４０）が、少なくとも１つの窓状の切欠（４２）を有している、請求項１から６のいずれか１項記載のロック装置。
【発明の詳細な説明】
【技術分野】
【０００１】
本発明は、ケーシング上側部分とケーシング下側部分とから形成されたコネクタ接続器ケーシング半部のためのロック装置であって、ケーシング上側部分を取り囲んでいて、かつ軸方向に摺動可能なロック解除リングを有している形式のものに関する。
【背景技術】
【０００２】
このような形式のロック装置は、コネクタ接続器の２つのケーシングが差し込まれた状態で形状接続的に係止し、かつ接続が振動または引張力によって意図せずに解離することを阻止するために必要とされる。
【０００３】
ドイツ連邦共和国特許第４２０５９６０号明細書によれば、ロック可能なケーシング半部を有するコネクタ接続体が公知である。この公知のコネクタ接続体においては、ばね弾性的な係止つめを有するロックエレメントが設けられていて、このロックエレメントは、差し込まれた状態で両方のケーシング半部を取り囲んでいるスリーブ内に配置されている。この場合、一方のケーシング半部に配置された係止つめは、他方のケーシング半部の切欠内に係止する。スリーブの引き抜き運動時に、係止つめは切欠から持ち上げられて、コネクタ接続体は解除される。
【特許文献１】ドイツ連邦共和国特許第４２０５９６０号明細書
【発明の開示】
【発明が解決しようとする課題】
【０００４】
そこで、本発明の課題は、冒頭で述べた形式のコネクタ接続器のためのロック装置を改良して、両方のコネクタの係止部の他に、さらに付加的なロック部を設けることである。
【課題を解決するための手段】
【０００５】
この課題を解決した本発明によれば、ロック解除リングが、３方向つまり３面側で露出していて、かつ内側に向かって移動可能な少なくとも１つの操作舌片を有していて、この操作舌片に内側に向けられた折り曲げ部を有する解放つめが一体成形されており、外側に向いている、折り曲げ部を備えたロックつめがケーシング上側部分に一体成形されており、解放つめの折り曲げ部は、コネクタ接続器がロックされた状態でケーシング上側部分から外側に向いているロックつめの折り曲げ部に当接するように配置されている。
【発明の効果】
【０００６】
本発明の有利な構成は、請求項２から請求項７に記載されている。
【０００７】
本発明によって達成された利点は、特に、ここで図示されたコネクタ接続体内に、コネクタおよび対応コネクタのための係止部と付加的なロック部との組合せが実現されているという点にある。
【０００８】
この場合、まず、いわゆるプッシュプル係止部として構成された高負荷に耐え得る係止機構が、金属性のまたは非金属性の材料から成るコネクタ接続器ケーシング内において、ロック部と組み合わされていて、このロック部は両方のケーシングを取り囲んでいるロック解除リング内に配置されている。
【０００９】
ロック解除リング内に係止・およびロック手段が設けられていて、有利には、係止・およびロック手段は、通常のコネクタプロセスにおいては、両方のコネクタ接続器ケーシングのまず係止部が、次いで付加的なロック部が働くようになっている。
【００１０】
ロック解除リングに操作舌片が設けられていて、この操作舌片によって、ロック手段は有利な形式で解放され、これとほぼ同時に、コネクタを引き抜く際にコネクタ接続体の係止部も解放される。
【００１１】
ロック手段は、コネクタおよびロック解除リングが製造されている材料から成っていて、これに対して、係止機構は、ばね弾性的な係止薄板として、有利には金属性の材料から製造されていて、係止ノーズは対応コネクタの材料から製造されている。
【００１２】
この場合、打ち抜き成形された係止薄板は、少なくとも１つの窓状の切欠を有しているが、有利には２つの分かれた切欠を有していて、これらの切欠内に対応コネクタに一体成形された相応の係止ノーズが係合する。
【００１３】
金属性の係止薄板は、コネクタケーシング材料とは無関係に、係止薄板が基準アース信号を伝達するためのＰＥ接点として使用され得る限りは有利である。
【発明を実施するための最良の形態】
【００１４】
本発明の実施例を図示し、以下に詳細に説明する。
【００１５】
図１には、コネクタ組合せ体１の斜視図が示されていて、このコネクタ組合せ体１はコネクタ２と対応コネクタ３とから成っており、対応コネクタ３には固定フランジが一体成形されている。
【００１６】
コネクタと対応コネクタは、ケーシング上側部分２０およびケーシング下側部分として以下では定義されている。
【００１７】
両方のケーシング部分は、ロック解除リング１０に取り囲まれていて、この場合、ここではロック解除リングの前方の半部が図示されておらず、従って、ここでは係止装置およびロック装置の少なくとも一部分だけが示されている。
【００１８】
ロック解除リング１０内のケーシング部分の両狭幅側にそれぞれ１つの係止薄板４０が示されており、この係止薄板４０はケーシング上側部分２０に固定されている。
【００１９】
折り曲げられた支持部４４により係止薄板４０は、ケーシング上側部分の下側の縁部に環状に延在するつば２１を越えて、ケーシング下側部分３０から突出している２つの係止ノーズ３２にまで達していて、この係止ノーズ３２に係止薄板４０は係止されている。
【００２０】
係止薄板４０の上側に幅の狭い条片２２が一体成形されていて、これに対してこの条片２２のやや下の位置においてケーシング上側部分が、係止薄板４０の中央から突出する一体成形部を有しており、この一体成形部は以下では、ロックつめ２５と称呼されている。
【００２１】
図１では分からないが、ロックつめ２５は壁から部分的に間隔を保って狭幅側２３に一体成形されていて、それによって、スリット２４が形成され、このスリット２４内に係止薄板４０を、この係止薄板４０が条片２２の下側に係止されるまで押し込むことができる（この点については図５も参照）。
【００２２】
図２ａ、図２ｂおよび図２ｃには、前記係止薄板４０の複数の変化実施例が詳細に図示されている。この係止薄板４０は、ケーシング上側部分２０の両狭幅側２３に当て付けられて係止されるようになっている。
【００２３】
係止薄板４０は、金属性の打ち抜き成形部分として構成されていて、窓状の切欠４２を備えており、この場合、切欠は１つの窓であるか、または２つの別個の窓に分けられていてよい（図２ａおよび図２ｂ参照）。
【００２４】
係止薄板４０の下側の縁部は、傾斜部４３として折り曲げられていて、それによって、係止薄板がケーシング下側部分３０に設けられている係止ノーズ３２に衝突する際に、係止薄板を変位させるためのスライド傾斜面が形成される。
【００２５】
さらに２つの垂直な支持部４４はそのほぼ中央で折り曲げられており、それによって下側の縁部がケーシング上側部分２０に設けられたつば２１を越えて、ケーシング下側部分の係止ノーズ３２に当接するか、もしくはそこで係止することができるようになっている。
【００２６】
係止薄板４０のほぼ真ん中に保持輪郭部４１が設けられていて、この保持輪郭部４１により、係止薄板４０は、ケーシング上側部分２０に設けられたスリット状の受容部２４内において、ケーシング上側部分２０の狭幅側２３に固定される。
【００２７】
係止薄板の上縁部に、直角に曲げられた保持装置または案内装置４５が設けられている。この保持装置または案内装置４５により、被せられたロック解除リング１０を安定的に保持することができる。
【００２８】
さらに別の変化実施例（図２ｃ）が図示されていて、この実施例では係止薄板はＰＥばね接点（PE-Federkontakt）４６として形成されている。
【００２９】
さらに、係止薄板をケーシング上側部分の狭幅側に固定するための異なる保持輪郭部４１が図２ａ、図２ｂおよび図２ｃには図示されている。
【００３０】
図３には、ケーシング上側部分２０の一部が図示されていて、このケーシング上側部分２０の狭幅側２３に係止薄板４０が係止されている。
【００３１】
この場合、係止薄板が、つば２１から成形され、上方へ突き出し、かつ狭幅側２３から間隔を保った面エレメント２８の後ろで、つまりこのようにして形成されたスリット２４内に、どのように固定されているかが分かる。面エレメント２８上にはロックつめ２５が配置されていて、ロックつめ２５は１つの角隅において２面で面エレメントと一体成形されていて、これに対して対角側にある角隅は解放されており、その結果、背後から係合するためのポケットに似た構造が形成されていることになる。
【００３２】
以下に説明されているように、ロック解除時にこのポケット２７内に解放つめ１５が係合する。
【００３３】
図４には、部分的に図示されていないロック解除リング１０を備えたケーシング上側部分２０の拡大した斜視図で、ロックのために必要なその他の部分が図示されている。
【００３４】
この場合、３方向でつまり３面側が露出するように突き出している操作舌片１４を備えたロック解除リング１０の左側の一部分が図示されている。この操作舌片１４の内側に解放つめ１５が一体成形されている。解放つめ１５の上側に、ケーシング上側部分２０の狭幅側から突き出しているロックつめ２５が配置されている。
【００３５】
さらに、ロック解除リングから突き出している２つの係止エレメント１２が示されており、これらの係止エレメント１２よって、ここでは図示されていないロック解除リングの第２の半部を接合もしくは係止することができる。
【００３６】
図５には、ケーシング上側部分２０に配置された係止薄板４０を、係止された両方のケーシング部分２０，３０およびロック解除リング１０の側面図で示している。
【００３７】
この場合、どのようにして係止薄板４０が、面エレメント２８の後ろにあるスリット２４内に摺動され、かつどのようにして条片２２によって滑落しないように保持されているかが分かる。
【００３８】
さらに、係止薄板４０が、ケーシング下側部分３０に設けられている係止ノーズ３２に係止されている状態が図示されていて、また傾斜部４３の下側に位置決めされ、ロック解除リング１０に一体成形された傾斜エレメント１８が図示されている。この場合、傾斜エレメント１８はロック解除リングの角隅領域に配置されていて、ひいてはケーシング下側部分３０に配置されている係止ノーズ３２の取り付け位置の外側に設けられている。
【００３９】
図６ａ、図６ｂ、図６ｃおよび図６ｄは、係止機構およびロック機構の機能形式を、両方の差し込まれたケーシング半部２０，３０の狭幅側２３，３３の断面図で個別的に示している。
【００４０】
ロックされた状態では、２つのロックエレメント、つまりロックつめ２５と解放つめ１５とは、互いに垂直に向かい合っている折り曲げ部１６，２６で直接的に互いに当接し合っている（図６ｂ参照）。
【００４１】
ロック解除リング１０に配置されている操作舌片１４にかかる圧力（矢印Ｄ）によって、下側の解放つめ１５は内方に押圧され、ロックつめ２５の下側のポケット２７内に到達する（図６ｃ参照）。それによって、ロックは解放され、ロック解除リング１０は、（矢印Ｚ方向に）持ち上げられる（図６ｄ参照）。それと同時に、係止薄板４０の傾斜部４３の下側に配置されている、ロック解除リング１０に設けられた傾斜エレメント１８は、互いに係合する。これにより係止薄板の下側の部分は、側方で外側に向かって引っ張られ、ケーシング下側部分３０に設けられた係止ノーズ３２との係止は解除され、こうして最終的に、ケーシング上側部分２０はケーシング下側部分３０もしくはコネクタ２および対応コネクタ３から分離する。
【図面の簡単な説明】
【００４２】
【図１】コネクタ組合せ体の斜視図である。
【図２】図２ａ、図２ｂおよび図２ｃは、それぞれ係止薄板の複数の変化実施例を示す斜視図である。
【図３】係止薄板が取り付けられた状態を示す部分的な斜視図である。
【図４】ロック解除リング内のロック機構を示す部分的な斜視図である。
【図５】係止機構の部分的な側面図である。
【図６】図６ａはロック解除リングを示す平面図、図６ｂ、図６ｃおよび図６ｄは、それぞれロック解除機構の機能形式を示す断面図である。
【符号の説明】
【００４３】
１  コネクタ接続部材、  ２  コネクタ、  ３  対応コネクタ、  １０  ロック解除リング、  １１  半割シェル、  １２  半割シェルを係止するための係止エレメント、  １４  操作舌片、  １５  解放つめ、  １６  解放つめの折り曲げ部、  １７  下側の縁部、  １８  一体成形された傾斜エレメント、  ２０  ケーシング上側部分、  ２１  環状に延在するつば、  ２３  狭幅側、  ２４  スリット、  ２５  ロックつめ、  ２６  ロックつめの折り曲げ部、  ２７  ポケット、  ２８  面エレメント、  ３０  ケーシング下側部分、  ３１  フランジ、  ３２  係止ノーズ、  ３３  狭幅側、  ４０  係止薄板、  ４１  保持輪郭部、  ４２  窓状の切欠、  ４３  傾斜部、  ４４  折り曲げられた支持部、  ４５  上方に曲げられた案内装置、  ４６  ＰＥばね接点
【図１】
2006339162.tif 000003
【図２】
2006339162.tif 000004
【図３】
2006339162.tif 000005
【図４】
2006339162.tif 000006
【図５】
2006339162.tif 000007
【図６】
2006339162.tif 000008